(57)【要約】【課題】社交ダンスの靴が滑りすぎて、踊りにくくなった時に、新品と同じ履き心地になるように、靴の裏に生地を貼るのである。【解決手段】大きさがダンス靴に丁度良い大きさで、生地の加工が容易く、弾力がある、滑り具合いが丁度良い生地を靴裏に貼り。其の目的を解決したのである。【選択図】図１
0003122998.tif 000002
【実用新案登録請求の範囲】
【請求項１】
古くなって滑りやすくなったダンス靴に、靴より少し大きめの皮のような生地を靴底に合わせて接着剤で貼りつけることにより、新品のような履き心地を取り戻す事を目的にした
【考案の詳細な説明】
【技術分野】
【０００１】生地は厚み    ３ｍｍ  の不繊維織になった物で
形状を靴の    前部    ヒール部分それぞれに  合うように裁断してある。
【背景技術】
【０００２】社交ダンスの靴が滑る時に  ひまし油等を塗ると、床が汚れて  会場の管理者に迷惑が掛かってしまう、  又水で靴の裏を濡らす事により、滑り過ぎないようにしているが自分以外の人の靴底を固くしてしまい、大変迷惑であった。
【考案の開示】
【考案が解決しようとする課題】
【０００３】初心者は特に、社交ダンスの時に、床が滑って踊りにならない、万が一滑って転んでは大怪我の元である、そんな不安を解消する為に考案された。
【課題を解決するための手段】
【０００４】合成皮革でも、本物の皮でも、張り替えれば又すべり具合が良くなり、不都合は無くなる。生地による靴の裏は、床も靴も痛むことなく、又その機能が長持ちするのである。
また今の靴裏を剥がすことは、素人には出来ないが、張り足す事は出来るので、ただ単に生地を靴の裏に張ることとした。
【考案の効果】
【０００５】数百人に試したが、不都合を感じる人は居なかった、感謝の声だけである。
【考案を実施する為の最良の形態】
【０００６】まず誰でも自分で出来る事を、目標にした。
ボンド、接着剤で靴の裏に貼るだけで良く、はみ出た所を挟みで切り取ってもらう事により、新品同様の靴に変身するのです。
【実施例】
【０００７】長く靴を履いていても、クッションにより疲れない、適度なすべりである。
【図面の簡単な説明】
【０００８】
【図１】    男子靴裏  前
【図２】    男子靴裏  踵
【図３】    女子靴裏
【図１】
0003122998.tif 000003
【図２】
0003122998.tif 000004
【図３】
0003122998.tif 000005
【手続補正書】
【提出日】平成18年4月18日(2006.4.18)
【手続補正１】
【補正対象書類名】実用新案登録請求の範囲
【補正対象項目名】全文
【補正方法】変更
【補正の内容】
【実用新案登録請求の範囲】
【請求項１】
社交ダンス用の靴の裏に貼る合成皮革の生地からなる靴裏貼り材であって、
靴裏貼り材が、男子靴の裏で踵部分を除く個所に貼り付ける第１部材と、前記男子靴の裏で踵部分に貼り付ける第２部材とからなっており、前記靴の裏への貼り付けにより、前記靴の滑りすぎを押さえて適度なすべり性とクッション性を有してなることを特徴とする靴裏貼り材。
【請求項２】
社交ダンス用の靴の裏に貼る合成皮革の生地からなる靴裏貼り材であって、
靴裏貼り材が、女子靴の裏で踵部分を除く個所に貼り付ける第３部材のみからなっており、前記靴の裏への貼り付けにより、前記靴の滑りすぎを押さえて適度なすべり性とクッション性を有してなることを特徴とする靴裏貼り材。
【手続補正２】
【補正対象書類名】明細書
【補正対象項目名】全文
【補正方法】変更
【補正の内容】
【考案の詳細な説明】
【技術分野】
【０００１】
本考案は、社交ダンス用の靴の裏に貼る靴裏貼り材に関するものである。
【背景技術】
【０００２】
従来、社交ダンス用の靴の靴底が、着用によりすり減った場合、靴修理業者により靴底や踵接地部分の張り直しが行われている。これは、専門の業者に依頼する必要があり、費用も高価である。
【０００３】
社交ダンス用の靴は、歩行用の靴と比較して靴底が薄いため、歩行用の靴と同様の補修を行うことができず、摩耗によりスリップしやすい。
また、社交ダンスの初心者は、特にスリップしやすく、十分なダンスや練習ができず、スリップにより転倒して怪我をする虞れもあった。
そこで、靴が滑る際にひまし油等を塗ることが考えられるが、床が汚れて会場の管理者に迷惑が掛かってしまう。
そこで、水で靴の裏を濡らして滑り過ぎないようにする方法もあるが、水分の付着により、自分以外の他の人の靴底までも固くしてしまい、大変迷惑であった。
【特許文献１】実開平６−５２５１３号
【考案の開示】
【考案が解決しようとする課題】
【０００４】
合成皮革でも、本物の皮でも、張り替えればすべり具合が良くなり、不都合は無くなる。この生地による靴の裏は、床も靴も痛むことなく、又その機能が長持ちする。
しかし、靴裏を剥がすことは、誰にでもできるものではないが、生地を貼り足すことはできる。
本考案は上記事情に鑑みて創案されたものであって、その課題は、ダンス靴の裏に靴裏貼り材を貼り付けることで、靴の滑りすぎを押さえて適度なすべり性とクッション性を備えるようにした靴裏貼り材を提供することにある。
【課題を解決するための手段】
【０００５】
上記課題を達成するために、請求項１の考案では、
社交ダンス用の靴の裏に貼る合成皮革の生地からなる靴裏貼り材であって、
靴裏貼り材が、男子靴の裏で踵部分を除く個所に貼り付ける第１部材と、前記男子靴の裏で踵部分に貼り付ける第２部材とからなっており、前記靴の裏への貼り付けにより、前記靴の滑りすぎを押さえて適度なすべり性とクッション性を有してなることを特徴とする。
また、請求項２の考案では、
社交ダンス用の靴の裏に貼る合成皮革の生地からなる靴裏貼り材であって、
靴裏貼り材が、女子靴の裏で踵部分を除く個所に貼り付ける第３部材のみからなっており、前記靴の裏への貼り付けにより、前記靴の滑りすぎを押さえて適度なすべり性とクッション性を有してなることを特徴とする。
【考案の効果】
【０００６】
すり減って滑りやすくなったダンス靴底に、靴裏貼り材を貼り付けるだけで取り付けることができる。
靴裏貼り材が床面と接するので、靴の滑りすぎを押さえて適度なすべり性とクッション性を得ることができる。
【考案を実施するための最良の形態】
【０００７】
以下に、この考案の社交ダンス用の靴の靴裏貼り材の好適実施例について、図面を参照しながら説明する。
【実施例】
【０００８】
本実施例で、靴裏貼り材は、厚み３ｍｍの不繊維織になった合成皮革の生地からなっており、形状が靴裏の前部とヒール部分とにそれぞれ合うように裁断してある。
【０００９】
男子靴の靴裏貼り材は、図１に示す男子靴の裏で踵部分を除く個所に貼り付ける第１部材１１と、前記男子靴の裏で、図２に示す踵部分に貼り付ける第２部材１５とからなっている。
第１部材１１は、図１に示すように、図中縦方向となる幅長が１０５ｍの略楕円形状の頭部１２と、該頭部１２の後方から図中後方へ延びて図中縦方向の幅長が６０ｍｍの略長方形状で後端の辺１４が外向きに凸状に湾曲する頸部１３とからなっており、図中横方向となる全長が２２０ｍｍに設定された図示例形状からなっている。
【００１０】
また、第２部材１５は、図２に示すように、図中縦方向となる幅長が８０ｍｍで、横方向となる全長が９５ｍｍに設定されて、図中上下の辺１６、１７が直線に延び、前後の辺１８、１９が同じ方向に湾曲する略矩形状の図示例形状からなっている。
そして、前記第１部材１１は男子靴の裏で踵部分を除く個所に接着剤で貼り付け、第２部材１５は踵部分に接着剤で貼り付けて使用に供される。
ここで、靴裏からはみ出た部分があれば、挟みで切り取ればよい。
【００１１】
次ぎに、女子靴の靴裏貼り材は、図３に示すように女子靴の裏で踵部分を除く個所に貼り付ける第３部材２１からなっている。
この第３部材２１は、図３に示すように、図中縦方向となる幅長が１００ｍｍで図中横方向となる長さが１１０ｍｍの略半楕円形状の頭部２２と、該頭部２２の後方から図中後方へ延びて１点２６に収束する横倒略三角形状で図中横方向の長さが１１０ｍｍの尾部２３とからなり、図中横方向となる全長が２２０ｍｍに設定されている。
ここで尾部２３を構成する上下の辺２４、２５はやや内向きに湾曲しており下方の辺２５より上方の辺２４がやや長く形成された図示例形状からなっている。
【００１２】
そして、この場合も、前記第３部材２１は女性用の靴の裏で踵部分を除く個所に接着剤で貼り付けて使用に供される。
また、靴裏からはみ出た部分があれば、挟みで切り取られる。
【図面の簡単な説明】
【００１３】
【図１】男子靴の靴裏貼り材の第１部材を示す平面図である。
【図２】男子靴の靴裏貼り材の第２部材を示す平面図である。
【図３】女子靴の靴裏貼り材の第３部材を示す平面図である。
【符号の説明】
【００１４】
１１    第１部材
１５    第２部材
２１    第３部材
【手続補正３】
【補正対象書類名】図面
【補正対象項目名】全図
【補正方法】変更
【補正の内容】
【図１】
0003122998.tif 000006
【図２】
0003122998.tif 000007
【図３】
0003122998.tif 000008